(57)【要約】【課題】  既設管やトンネル内に配置される更生管の防食方法を提供する。【解決手段】  帯状部材１０は、帯状をなす樹脂製の基部１１と、この基部１１に沿って延びる補強鋼板１５とを含んでいる。帯状部材１０を螺旋状に巻くとともに、帯状部材１０の隣接する巻き部分の側縁部同士を嵌合することにより、既設管１内で更生管２を製管する。更生管２に貫通孔５を削孔した後、貫通孔５の内周に露出する補強鋼板１５の切削断面１５ａを覆うように、切削断面１５ａに防食テープ２０を付着させる。【選択図】図４
2020175599.tif 000002
【特許請求の範囲】
【請求項１】
帯状をなす樹脂製の基部とこの基部に沿って延びる補強鋼板とを含む帯状部材を、螺旋状に巻くとともに、前記帯状部材の隣接する巻き部分の側縁部同士を連結することにより、既設管内で更生管を製管し、前記更生管に貫通孔を削孔した後、前記貫通孔の内周に露出する前記補強鋼板の切削断面を覆うように、前記切削断面に防食部材を付着させることを特徴とする更生管の防食方法。
【請求項２】
前記防食部材が、不織布に防食剤を含浸させた防食テープにより構成されていることを特徴とする請求項１に記載の更生管の防食方法。
【請求項３】
前記貫通孔が前記更生管の上壁部に形成され、前記防食部材の付着工程の後、前記既設管と前記更生管との間に裏打ち材を充填する際の浮上を防止するための浮上防止装置を前記更生管内に設置し、前記浮上防止装置の支柱を前記貫通孔に挿通させて前記既設管の上壁面に当てることを特徴とする請求項１または２に記載の更生管の防食方法。
【請求項４】
前記貫通孔が、前記既設管への取付管の接続箇所に対応した箇所に形成されていることを特徴とする請求項１または２に記載の更生管の防食方法。
【請求項５】
帯状をなす樹脂製の基部とこの基部に沿って延びる補強鋼板とを含む帯状部材を螺旋状に巻くとともに、前記帯状部材の隣接する巻き部分の側縁部同士を連結することにより製管されている更生管に、貫通孔が形成されており、
前記貫通孔の内周に露出する前記補強鋼板の切削断面を覆うように、前記切削断面に防食部材が付着されていることを特徴とする更生管の防食構造。
【請求項６】
前記防食部材が、不織布に防食剤を含浸させた防食テープにより構成されていることを特徴とする請求項５に記載の更生管の防食構造。
【発明の詳細な説明】
【技術分野】
【０００１】
本発明は、老朽化した既設管やトンネルの内側に配置された更生管の防食方法および防食構造に関する。
【背景技術】
【０００２】
老朽化した下水道管等の既設管を更生するために、更生管を既設管の内側に配置することは知られている。特許文献１は、既設管内で帯状部材を螺旋状に巻き、隣接する巻き部分の側縁部同士を嵌合することにより、更生管を製造する方法を開示している。この帯状部材は、樹脂製の帯状の基部と、この基部の一方の面に取り付けられ基部に沿って延びる補強鋼板と、を有している。帯状部材が巻かれた状態で、基部が更生管の内周側に配置され、補強鋼板が外周側に配置されている。
【０００３】
上記更生管には必要に応じて貫通孔が形成される。例えば、更生管が完成した後、既設管と更生管との間にはモルタル等の裏込め材が充填されるが、この裏込め材により更生管が浮き上がるのを防ぐために、浮上防止装置を更生管内に設置することがある。この浮上防止装置は、伸縮調節可能な支柱とこの支柱の下端に配置された押さえ部材とを有している。支柱を更生管の上壁部に形成された貫通孔に通し、その上端を既設管の上壁面に当て、押さえ部材で更生管の底壁を押さえることにより、裏込め材を充填する際の更生管の浮き上がりを防止する。
【先行技術文献】
【特許文献】
【０００４】
【特許文献１】特開２０１７−５７９２０号公報
【発明の概要】
【発明が解決しようとする課題】
【０００５】
上記のように更生管に貫通孔を形成する際、上記樹脂製基部のみならず、補強鋼板も切削される。補強鋼板は表面に樹脂被覆または亜鉛メッキ等の防食処理が施されているが、貫通孔形成時に切削された断面（貫通孔に臨む切削断面）は金属素地がむき出しになっており、錆等の腐食が生じやすい。
【課題を解決するための手段】
【０００６】
本発明は前記課題を解決するためになされたものであり、更生管の防食方法において、帯状をなす樹脂製の基部とこの基部に沿って延びる補強鋼板とを含む帯状部材を、螺旋状に巻くとともに、前記帯状部材の隣接する巻き部分の側縁部同士を連結することにより、既設管内で更生管を製管し、前記更生管に貫通孔を削孔した後、前記貫通孔の内周に露出する前記補強鋼板の切削断面を覆うように、前記切削断面に防食部材を付着させることを特徴とする。
前記方法によれば、補強鋼板の切削断面の腐食を防止できる。
【０００７】
好ましくは、前記防食部材が、不織布に防食剤を含浸させた防食テープにより構成されている。
前記方法によれば、補強鋼板の切削断面形状が複雑でも、簡単に切削断面に沿って防食テープを付着させることができる。
【０００８】
前記防食方法は例えば例えば下記の場合に実行される。すなわち、前記貫通孔が前記更生管の上壁部に形成された後、前記防食部材の付着工程が実行される。この後で、前記既設管と前記更生管との間に裏打ち材を充填する際の浮上を防止するための浮上防止装置を前記更生管内に設置し、前記浮上防止装置の支柱を前記貫通孔に挿通させて前記既設管の上壁面に当てる。
【０００９】
前記防食方法は、次のような場合にも実行される。すなわち、前記貫通孔が、前記既設管への取付管の接続箇所に対応した箇所に形成されている。
【００１０】
本発明の他の態様は、更生管の防食構造において、帯状をなす樹脂製の基部とこの基部に沿って延びる補強鋼板とを含む帯状部材を螺旋状に巻くとともに、前記帯状部材の隣接する巻き部分の側縁部同士を連結することにより製管されている更生管に、貫通孔が形成されており、前記貫通孔の内周に露出する前記補強鋼板の切削断面を覆うように、前記切削断面に防食部材が付着されている。
【００１１】
好ましくは、前記防食部材が、不織布に防食剤を含浸させた防食テープにより構成されている。
【発明の効果】
【００１２】
本発明によれば、更生管に形成された貫通孔に臨む補強鋼板の切削断面の腐食を、確実に防止することができる。
【図面の簡単な説明】
【００１３】
【図１】既設管と更生管を、両者の間隙を誇張して示す断面図であり、（Ａ）は更生管の上壁部に貫通孔を形成する工程を示し、（Ｂ）は更生管内に浮上防止装置を設置する工程を示し、（Ｃ）は裏打ち材充填後に貫通孔をキャップで塞ぐ工程を示す。
【図２】上記更生管に用いられる帯状部材の断面図である。
【図３】上記更生管において帯状部材の隣接する２つの巻き部分を嵌合した状態を示す断面図であり、（Ａ）は貫通孔形成前、（Ｂ）は貫通孔形成後の状態をそれぞれ示す。
【図４】上記更生管の貫通孔に臨む補強鋼板の切削断面に本発明に係る防食処理を施した状態を示すもので、（Ａ）は断面図、（Ｂ）は平面図である。
【図５】本発明が適用される他の態様を説明する断面図である。
【発明を実施するための形態】
【００１４】
以下、本発明の一実施形態を図面を参照しながら説明する。図１において符号１は、地中に埋設された下水道管等の老朽化した既設管を示す。既設管１は例えばコンクリート管を接続することにより構成されている。既設管１は以下の工程により更生される。
【００１５】
更生管の製管工程
図１（Ａ）に示すように、既設管１内に既設管１に沿って延びる更生管２を設置する。更生管２は、図２に示す帯状部材１０を螺旋状に巻き、隣接する巻き部分の側縁部同士を嵌合することにより構成されている。
【００１６】
帯状部材１０は、帯状をなす樹脂製の基部１１と、この基部１１の一方側の面に取り付けられ基部１１に沿って延びる補強鋼板１５とを有している。基部１１は、一方の側縁部に雄型嵌合部１１ａを有し、他方の縁部に雌型嵌合部１１ｂを有している。また、基部１１の上記一方の面には、一対の係合片１１ｃが形成されており、これら係合片１１ｃに補強鋼板１５の両側縁が係合されることにより、補強鋼板１５が基部１１に取り付けられている。
【００１７】
補強鋼板１５の表面は防食処理されている。例えば、補強鋼板１５の表面はポリ塩化ビニルなどの樹脂により被覆されているかまたは亜鉛メッキされている。本実施形態では補強鋼板１５の断面はΩ形状をなしているが、種々の断面形状を採用することができる。また、本実施形態では基部１１に１つの補強鋼板１５が取り付けられているが、複数の補強鋼板が取り付けられていてもよい。
【００１８】
上記帯状部材１０を基部１１を内周側にし補強鋼板１５を外周側にして螺旋状に巻くとともに、図３（Ａ）に示すように隣り合う巻き部分の雄型嵌合部１１ａと雌型嵌合部１１ｂを嵌合させることにより、更生管２が製管される。更生管２はマンホール間の既設管１の全長にわたって配置される。
【００１９】
貫通孔の削孔工程
次に、図１（Ａ）、図３（Ｂ）に示すように、更生管２の上壁部に貫通孔５を形成する。この貫通孔５を形成する際に、基部１１と補強鋼板１５が切削される。貫通孔５に臨む補強鋼板１５の切削断面１５ａでは、地金が露出している。
切削断面１５ａの態様は貫通孔５の径や位置によって変化する。図３（Ａ）に示すように貫通孔５が補強鋼板１５の幅を越えて形成される場合には、補強鋼板１５は貫通孔５で分断され、貫通孔５の内周において帯状部材１０の長手方向に対向する２箇所に、補強鋼板１５の切削断面１５ａが露出される。貫通孔５の径が補強鋼板１５の幅より小さく補強鋼板１５の幅内に収まっている場合には、補強鋼板１５の切削断面１５ａは貫通孔５の全周にわたって露出される。
【００２０】
防食処理工程
次に、図４（Ａ）、（Ｂ）に示すように、貫通孔５に露出した補強鋼板１５の切削断面１５ａに、防食テープ２０（防食部材）を貼り付け、防食処理を施す。この防食テープ２０は、石油系コンパウンド（防食剤）を不織布に含浸させることにより構成されている。石油系コンパウンドとして、例えば石油から作られたペトロラタムを主成分としたコンパウンドや酸化重合型コンパウンドが用いられる。
貫通孔５の径が小さく指先しか入らなくても、補強鋼板１５の切削断面１５ａの形状が複雑でも、この切削断面１５ａの形状に沿って防食テープ２０を補強鋼板１５の表面から切削断面１５ａを経て裏面に至るよう貼り付けることにより、簡単に切削断面１５ａを覆い、防食処理を施すことができる。また速やかに次の工程に移ることができる。
【００２１】
浮上防止装置の設置工程
次に、図１（Ｂ）に示すように、更生管２内に浮上防止装置３０を設置する。この浮上防止装置３０は、例えば伸縮調節可能な支柱３１と、この支柱３１の下端に設けられた押さえ部材３２とを備えている。支柱３１は、パイプ３１ａとこのパイプ３１ａの下端に設けられたジャッキ３１ｂとを有している。このジャッキ３１ｂの下に上記押さえ部材３２が配置されている。
【００２２】
上記支柱３１のパイプ３１ａを、上記更生管２の上壁部に形成された貫通孔５に通し、その上端を既設管１の上壁面に当てるとともに、押さえ部材３２を更生管２の底壁部に押し当てる。この際、補強鋼板１５の切削断面１５ａは防食テープ２０で覆われているので、パイプ３１ａを抜き挿ししても防食テープ２０は剥がれないし、パイプ３１ａからもらい錆を受けずに済む。
【００２３】
裏打ち材の充填工程
次に、モルタル等の裏打ち材４０（図１（Ｃ）参照）を既設管１と更生管２との間の隙間に充填する。この裏打ち材４０の充填により更生管２には浮力が働くが、浮上防止装置で更生管２の底壁部を押さえているので、更生管２が浮上するのを防止することができる。
【００２４】
貫通孔閉塞工程
次に、裏打ち材４０の充填および硬化と、浮上防止装置２０の撤去が完了した後、貫通孔５にキャップ５０を装着して貫通孔５を閉じる。
【００２５】
上述したように、補強鋼板１５の切削断面１５ａが防食テープ２０で覆われているので、長期にわたり切削断面１５ａでの錆等の腐食を防止することができる。
【００２６】
図５に示すように、既設管１に取付管３が接続されている場合には、既設管１と更生管２との間に裏打ち材４０を充填した後で、更生管２と裏打ち材４０に、取付管３に連なる貫通孔６を形成する。この削孔工程の後で、前述と同様にして補強鋼板１５の貫通孔６に臨む切削断面に、防食テープ２０を貼り付ける。この後で、貫通孔６の内周を覆う筒を装着する。
【００２７】
本発明は、前記実施形態に限定されるものではなく、その精神を逸脱しない範囲において種々の改変をなすことができる。
例えば、補強鋼板は、樹脂製の基部内に埋め込まれていてもよい。補強鋼板は、塗装鋼板やラミネート鋼板などであってもよい。
防食テープの代わりに、チューブに充填された流動性かつ粘性を有する防食部材を用いてもよい。
帯状部材は、螺旋状に巻かれたときの隣接する帯状部材と、側縁部同士を嵌合するようになっているが、側縁部同士を別の連結材を介して連結するようになっていてもよい。
更生管はトンネル内に配置されてもよい。
【産業上の利用可能性】
【００２８】
本発明は、下水道管等の老朽化した既設管やトンネル内に配された更生管の腐食防止に適用可能である。
【符号の説明】
【００２９】
１  既設管
２  更生管
３  取付管
５、６  貫通孔
１０  帯状部材
１１  樹脂製の基部
１５  補強鋼板
２０  防食テープ（防食部材）
３０  浮上防止装置
３１  支柱
４０  裏打ち材
【図１】
2020175599.tif 000003
【図２】
2020175599.tif 000004
【図３】
2020175599.tif 000005
【図４】
2020175599.tif 000006
【図５】
2020175599.tif 000007